(57)【特許請求の範囲】
【請求項１】
ディスク状記録媒体にレーザービームを照射して著作権に関する第１及び第２の情報を記録する光ディスク装置であって、
前記著作権に関する第１の情報のビット数に対応する系列であって、互いに無相関であり、前記著作権に関する第１の情報の伝送速度に比して早い伝送速度により２進数系列を発生させる複数の２進数系列発生手段と、
前記２進数系列を前記著作権に関する第１の情報の対応するビットとイクスクルーシブオア演算して複数の演算結果を出力する複数の演算手段と、
前記著作権に関する第２の情報に応じて疑似乱数を発生する乱数発生手段と、
前記疑似乱数に応じて前記複数の演算結果の選択的な出力により駆動信号を出力する選択手段と、
前記駆動信号により前記レーザービームを変調する光変調手段とを備える光ディスク装置。
【請求項２】
前記２進数系列は、Ｍ系列である請求項１に記載の光ディスク装置。
【請求項３】
前記駆動信号に所定周期で同期パターンを介挿された請求項１に記載の光ディスク装置。
【請求項４】
前記２進数系列発生手段は、前記同期パターンを基準にして、前記２進数系列を繰り返し出力する請求項３に記載の光ディスク装置。
【請求項５】
前記演算手段による演算が、排他的論理和演算である請求項１に記載の光ディスク装置。
【請求項６】
前記光変調手段は、前記駆動信号の位相変調信号により前記レーザービームを変調する請求項１に記載の光ディスク装置。
【請求項７】
ディスク状記録媒体にレーザービームを照射して著作権に関する第１及び第２の情報を記録する光ディスクの記録方法において、
前記著作権に関する第１の情報の各ビット列を、前記著作権に関する第１の情報の伝送速度に比して早い伝送速度であって、互いに無相関である２進数系列によりそれぞれイクスクルーシブオア演算して複数系統の信号を生成し、
前記著作権に関する第２の情報に応じて疑似乱数を生成し、
前記疑似乱数により前記複数系統の信号を選択して１系統の駆動信号を生成し、
前記駆動信号により前記レーザービームを変調する光ディスクの記録方法。
【請求項８】
ピット列又はマーク列により著作権に関する第１及び第２の情報が記録されてなる光ディスクであって、
前記著作権に関する第１の情報の各ビット列が、前記著作権に関する第１の情報の伝送速度に比して早い伝送速度であって、互いに無相関である２進数系列によりそれぞれイクスクルーシブオア演算された後、前記著作権に関する第２の情報に応じた疑似乱数を基準にして１系統に纏められて作成された駆動信号により、前記ピット列又はマーク列が作成された光ディスク。
【請求項９】
前記著作権に関する第２の情報が、
前記光ディスクの製造を特定する情報である請求項８に記載の光ディスク。
【請求項１０】
前記著作権に関する第１の情報により所望のデータが暗号化されて記録される請求項８に記載の光ディスク。
【請求項１１】
放射状に広がるバーコードの記録により前記著作権に関する第１及び又は第２の情報に関連する情報が記録された請求項８に記載の光ディスク。
【請求項１２】
前記著作権に関する第１及び第２の情報を記録した領域に、前記著作権に関する第１及び又は第２の情報に関連する情報が記録された請求項１１に記載の光ディスク。
【請求項１３】
光ディスクに記録された著作権に関する第２の情報を再生する光ディスク装置において、
前記光ディスクにレーザービームを照射して戻り光を受光し、前記戻り光の受光結果より再生信号を生成する再生信号生成手段と、
前記再生信号の同期パターンを基準にして２進数系列を発生するＭ系列の２進数系列発生手段と、
それぞれ前記２進数系列により前記再生信号をイクスクルーシブオア演算する演算手段と、
前記著作権の情報の１ビットの区間で、それぞれ演算手段の演算結果を積分して複数の積分結果を出力する複数の積分手段と、
それぞれ前記積分結果を２値識別して前記著作権に関する第１の情報の対応するビット列を復号する判定手段と、
前記著作権に関する第１の情報の各ビット列を、前記著作権に関する第１の情報の伝送速度に比して早い伝送速度であって、互いに無相関である前記２進数系列によりそれぞれイクスクルーシブオア演算した後、所定の疑似乱数を基準にして１系統に纏めて予測再生信号を生成する信号予測手段と、
前記再生信号と前記予測再生信号との比較結果に基づいて、前記疑似乱数に対応する論理値を判定することにより、該判定結果に基づいて、前記著作権に関する第２の情報を復号する第２の復号手段とを備えることを特徴とする光ディスク装置。
【請求項１４】
前記著作権に関する第１の情報により、前記光ディスクに記録されたデータの暗号化を解除することを特徴とする請求項１３に記載の光ディスク装置。
【請求項１５】
前記著作権に関する第１の情報により、所望のデータを暗号化して前記光ディスクに記録することを特徴とする請求項１３に記載の光ディスク装置。
【請求項１６】
光ディスクに記録された著作権に関する第２の情報を再生する光ディスクの再生方法において、
前記光ディスクにレーザービームを照射して戻り光を受光し、前記戻り光の受光結果より再生信号を生成し、
前記再生信号の同期パターンを基準にしてＭ系列の２進数系列を発生し、
それぞれ前記２進数系列により前記再生信号をイクスクルーシブオア演算し、
前記著作権の情報の１ビットの区間で、それぞれ前記イクスクルーシブオア演算の演算結果を積分して複数の積分結果を出力し、
それぞれ前記積分結果を２値識別して前記著作権に関する第１の情報の対応するビット列を復号し、
前記著作権に関する第１の情報の各ビット列を、前記著作権に関する第１の情報の伝送速度に比して早い伝送速度であって、互いに無相関である前記２進数系列によりそれぞれイクスクルーシブオア演算した後、所定の疑似乱数を基準にして１系統に纏めて予測再生信号を生成し、
前記再生信号と前記予測再生信号との比較結果に基づいて、前記疑似乱数に対応する論理値を判定することにより、該判定結果に基づいて、前記著作権に関する第２の情報を復号する光ディスクの再生方法。
【発明の詳細な説明】
【０００１】
【発明の属する技術分野】
本発明は、光ディスク装置、光ディスクの記録方法、光ディスク、光ディスクの再生方法に関し、例えばミニディスク（ＭＤ）、ディジタルビデオレコーダ（ＤＶＲ）等によるシステムに適用することができる。本発明は、著作権に関する第１の情報の各ビット列をそれぞれ擾乱して生成した複数系統の信号を、著作権に関する第２の情報に応じた疑似乱数を基準にして１系統に纏めて駆動信号を生成することにより、従来に比して一段と有効に著作権者の利益を保護することができるようにする。
【０００２】
【従来の技術】
従来、光ディスク装置であるミニディスク装置においては、種々のコンテンツより音質の劣化を防止して簡易に音楽をコピーできることにより、近年、急速に普及するようになされている。すなわちミニディスク装置においては、インターネットにより配信される音楽情報をミニディスクに記録して試聴することもでき、また友人等から借りたコンパクトディスクの音楽をミニディスクに記録して試聴することもできる。さらに他のミニディスクから音楽をコピーすることもできる。
【０００３】
しかしながらこのような音質の劣化を防止した簡易なコピーにおいては、ユーザの利便性を大きく高める反面、音楽を創作した著作権者の利益を損なう恐れもある。このため例えばＲＩＡＡ（Recording Industry Association of America ）、ＳＤＭＩ（Secure Digital Music Initiative ）、ＣＰＴＷＧ（Copy Protection Technical Working Group ）等の団体、フォーラムにおいて、著作権者の利益の保護を目的として種々の手法が検討されるようになされている。
【０００４】
このような手法の１つの方法として、記録媒体に固有の著作権保護情報により音楽情報を暗号化して記録する方法が提案されている。すなわちこの方法によれば、音楽情報を別の記録媒体にコピーした場合には、記録媒体で著作権保護情報が異なることにより暗号化を解除することが困難になり、これにより無制限のコピーを防止して著作権者の利益を保護しようとするものである。
【０００５】
このような著作権保護情報の記録方式については、ユーザーがアクセス困難なセクタを設け、このセクタに著作権保護情報を記録する方法、ピット列による主のデータの記録に対して反射膜を部分的に除去してバーコード状にこの種の情報を記録する方法（国際公開番号ＷＯ９７／１４１４４号）等が提案されるようになされている。
【０００６】
【発明が解決しようとする課題】
ところがこれらの方法においては、著作権者の利益を有効に保護する点で実用上未だ不十分な問題がある。
【０００７】
すなわちユーザーがアクセス困難にセクタを設け、このセクタに著作権保護情報を記録する方法にあっては、比較的簡易に著作権保護情報を記録することができる反面、その分著作権保護情報がコピーされ易い問題がある。
【０００８】
また反射膜の部分的な除去によりバーコード状にこの種の情報を記録する方法は、顕微鏡等により観察によりこの種の情報の記録を確認して複製でき、いわゆる海賊版を完全に防止できない問題がある。なお反射膜の除去に代えて、光ディスクの表面に部分的に不透明膜を作成することにより、同様にしてこの種の情報を記録する方法も考えられるが、この場合も反射膜を部分的に除去する場合と同様の問題がある。
【０００９】
本発明は以上の点を考慮してなされたもので、従来に比して一段と有効に著作権者の利益を保護することができる光ディスク装置、光ディスクの記録方法、光ディスク、光ディスクの再生方法を提案しようとするものである。
【００１０】
【課題を解決するための手段】
かかる課題を解決するため請求項１の発明においては、光ディスク装置に適用して、著作権に関する第１の情報のビット数に対応する系列により、著作権に関する第１の情報の伝送速度に比して早い伝送速度により２進数系列を発生させる複数の２進数系列発生手段と、２進数系列を著作権に関する第１の情報の対応するビットと演算して複数の演算結果を出力する複数の演算手段と、著作権に関する第２の情報に応じて疑似乱数を発生する乱数発生手段と、疑似乱数に応じて複数の演算結果の選択的な出力により駆動信号を出力する選択手段とを備えるようにする。
【００１１】
また請求項７の発明においては、光ディスクの記録方法に適用して、著作権に関する第１の情報の各ビット列を、著作権に関する第１の情報の伝送速度に比して早い伝送速度による異なる２進数系列によりそれぞれ擾乱して複数系統の信号を生成し、著作権に関する第２の情報に応じて疑似乱数を生成し、疑似乱数により複数系統の信号を選択して１系統の駆動信号を生成する。
【００１２】
また請求項８の発明においては、光ディスクに適用して、著作権に関する第１の情報の各ビット列が、著作権に関する第１の情報の伝送速度に比して早い伝送速度による異なる２進数系列によりそれぞれ擾乱された後、著作権に関する第２の情報に応じた疑似乱数を基準にして１系統に纏められて作成された駆動信号により、ピット列又はマーク列が作成されてなるようにする。
【００１３】
また請求項１３の発明においては、光ディスク装置に適用して、再生信号から著作権に関する第１の情報を復号する第１の復号手段と、この著作権に関する第１の情報の各ビット列を、著作権に関する第１の情報の伝送速度に比して早い伝送速度による異なる２進数系列によりそれぞれ擾乱した後、所定の疑似乱数を基準にして１系統に纏めて予測再生信号を生成する信号予測手段と、再生信号と予測再生信号との比較結果に基づいて、疑似乱数に対応する論理値を判定することにより、該判定結果に基づいて、著作権に関する第２の情報を復号する第２の復号手段とを備えるようにする。
【００１４】
また請求項１８の発明においては、光ディスクの再生方法に適用して、戻り光の受光結果より、著作権に関する第１の情報を復号し、この著作権に関する第１の情報の復号結果に基づいて、著作権に関する第２の情報の予測による受光結果を生成し、この予測による受光結果と、戻り光の受光結果との比較により、著作権に関する第２の情報を復号する。
【００１５】
請求項１の構成によれば、光ディスク装置に適用して、著作権に関する第１の情報のビット数に対応する系列により、著作権に関する第１の情報の伝送速度に比して早い伝送速度により２進数系列を発生させる複数の２進数系列発生手段と、２進数系列を著作権に関する第１の情報の対応するビットと演算して複数の演算結果を出力する複数の演算手段と、著作権に関する第２の情報に応じて疑似乱数を発生する乱数発生手段と、疑似乱数に応じて複数の演算結果の選択的な出力により駆動信号を出力する選択手段とを備えることにより、ピット列又はマーク列により著作権に関する第１及び第２の情報を光ディスクに記録して、これらを発見、解析困難とすることができる。またこれらの情報の１ビットを円周方向の比較的長い距離に割り当てて記録できることにより、ノイズ、傷等による影響を有効に回避して、これらの情報を再生することが可能となる。またこれに加えて、著作権に関する第１の情報の各ビットにおいては、駆動信号の生成過程で、他の２進数系列による復号には影響を与えないようにして、対応する２進数系列によらなければ復号困難とされ、これにより例えばバーコードによる他の情報の記録等によりトラッキング制御が困難な場合でも、正しく再生することができる。これらによりこの著作権に関する第１及び第２の情報を利用して光ディスクへのアクセスを制限する等により、従来に比して一段と有効に著作権者の利益を保護することができる。
【００１６】
これにより請求項７の構成によれば、光ディスクの記録方法に適用して、従来に比して一段と有効に著作権者の利益を保護することができる。
【００１７】
また請求項８の構成によれば、光ディスクに適用して、従来に比して一段と有効に著作権者の利益を保護することができる。
【００１８】
また請求項１３の構成によれば、光ディスク装置に適用して、再生信号から著作権に関する第１の情報を復号する第１の復号手段と、著作権に関する第１の情報の各ビット列を、著作権に関する第１の情報の伝送速度に比して早い伝送速度による異なる２進数系列によりそれぞれ擾乱した後、所定の疑似乱数を基準にして１系統に纏めて予測再生信号を生成する信号予測手段と、再生信号と予測再生信号との比較結果に基づいて、疑似乱数に対応する論理値を判定することにより、該判定結果に基づいて、著作権に関する第２の情報を復号する第２の復号手段とを備えることにより、著作権に関する第１の情報の各ビットを擾乱して生成した複数系統の信号を疑似乱数により１系統に纏めて記録するようにして、この疑似乱数に対応する著作権に関する第２の情報を復号することができる。従って発見困難、解析困難に記録した著作権に関する第２の情報を、例えば光ディスクの製造設備の特定等に利用することができ、これにより従来に比して一段と有効に著作権者の利益を保護することができる。
【００１９】
これにより請求項１８の構成によれば、光ディスクの再生方法に適用して、従来に比して一段と有効に著作権者の利益を保護することができる。
【００２０】
【発明の実施の形態】
以下、適宜図面を参照しながら本発明の実施の形態を詳述する。
【００２１】
（１）実施の形態の構成
図２は、本発明の実施の形態に係る光ディスク製造工程を示す工程図である。この実施の形態では、この光ディスク製造工程１により３種類の著作権保護情報ＳＡ、ＳＢ、ＳＣを記録してミニディスク２を製造する。
【００２２】
ここでこれら３種類の著作権保護情報ＳＡ〜ＳＣのうち、第１及び第３の著作権保護情報ＳＡ及びＳＣは、組み合わせて使用して、ミニディスク２に記録するオーディオデータ等を暗号化し、またミニディスク２に記録したオーディオデータ等の暗号化の解除に使用される鍵情報であり、ミニディスク２に固有の任意の乱数等が適用される。これに対して第２の著作権保護情報ＳＢは、不正なミニディスクが流通したときに、そのミニディスクの由来を追求する為に利用可能な情報であり、ミニディスクの製造元を特定するための情報である。この第２の著作権保護情報ＳＢには、例えば、カッティングマシーンに固有な装置番号、製造工場に係る情報、製造年月日等の情報が割り当てられる。
【００２３】
ミニディスク２は、図３に示すように、情報記録面が同心円状に分割され、内周側の領域が著作権情報記録領域３に、外周側領域がユーザーデータ記録領域４に割り当てられる。ミニディスク２は、この著作権情報記録領域３にこれら３種類の著作権保護情報ＳＡ〜ＳＣが記録され、ユーザーデータ記録領域４にオーディオデータ等を記録できるように構成される。さらにこの著作権情報記録領域３において、ミニディスク２は、ピット列により著作権保護情報ＳＡ及びＳＢが繰り返し記録され、この著作権保護情報ＳＡ及びＳＢの記録にオーバーラップして、記録膜の変化によりバーコード状に著作権保護情報ＳＣが記録される。なおミニディスク２は、ユーザーデータ記録領域４については通常のミニディスクと同様にアドレス情報によりレーザービームのガイド溝であるグルーブが蛇行するように形成され、またリードインエリア等が作成されるようになされている。
【００２４】
このためこの光ディスク製造工程１において（図２）、信号源６Ａ及び６Ｂは、それぞれ著作権保護情報ＳＡ及びＳＢをカッティングマシーン７に繰り返し供給する。
【００２５】
カッティングマシーン７は、この著作権保護情報ＳＡ及びＳＢ等により記録用レーザービームを変調してディスク原盤８に照射し、またこれに代えて所定の位置情報により記録用レーザービームを変調してディスク原盤８に照射する。これによりカッティングマシーン７は、ディスク原盤８を露光し、ピット列により著作権保護情報ＳＡを記録し、さらにグルーブ、リードインエリア等を記録するようになされている。
【００２６】
光ディスク製造工程１において、続く現像工程９は、このようにカッティングマシーン７により露光されたディスク原盤８を現像し、露光軌跡にピット列、グルーブに対応する微細な凹凸を形成する。
【００２７】
続くメッキ工程１０は、このディスク原盤８をメッキ処理し、これによりマザーディスク１２を作成する。光ディスク製造工程１は、このマザーディスク１２よりスタンパーを作成し、射出成形工程１３は、このスタンパーを射出成形機に取り付けて射出成形することにより、マザーディスク１２に形成された微細な凹凸を複写してなるディスク基板１４を量産する。
【００２８】
続く記録膜生成工程１５は、スパッタリング等の手法によりこのディスク基板１４に光磁気膜による記録膜を作成する。
【００２９】
信号源１６は、著作権保護情報ＳＢをバーコード書き込み装置１７に出力し、バーコード書き込み装置１７は、この著作権保護情報ＳＣによりディスク基板１４の記録膜を変化させてバーコード状に著作権保護情報ＳＣを記録する。ここでバーコード書き込み装置１７は、記録膜を作成してなるミニディスク２を装着して回転駆動しながら、先の著作権保護情報ＳＡ及びＳＢを記録した領域に、例えばＹＡＧ（イットリウム・アルミニウム・ガーネット）レーザ等による高出力のレーザービームを著作権保護情報ＳＣにより変調して、かつミニディスク２の回転に同期して照射することにより、記録膜の反射率を部分的に変化させてバーコード状に著作権保護情報ＳＣを記録する。なお、このような記録膜の変化によりバーコード状に著作権保護情報ＳＣを記録する場合にあっては、ＹＡＧレーザに代えて、炭酸ガスレーザ、高出力半導体レーザ等を使用することもできる。
【００３０】
光ディスク製造工程１は、続く保護膜作成工程１８により記録膜上に保護膜を作成し、これによりミニディスク２が完成するようになされている。
【００３１】
図４は、カッティングマシーン７を示すブロック図である。カッティングマシーン７は、著作権保護情報ＳＡ及びＳＢをピット列によりディスク原盤８に記録し、またディスク原盤８にグルーブ、リードインエリア等を記録する。
【００３２】
すなわちカッティングマシーン７において、スピンドルモータ２０は、スピンドルサーボ回路２１の制御によりディスク原盤８を所定の回転速度で回転駆動し、底部に保持したＦＧ信号発生器より、ディスク原盤８が所定の角度だけ回転する毎に信号レベルが立ち上がるＦＧ信号ＦＧを出力する。スピンドルサーボ回路２１は、このＦＧ信号ＦＧを基準にしてディスク原盤８が所定の回転速度により回転するように、スピンドルモータ２０の動作を制御する。
【００３３】
レーザー光源２３は、例えばガスレーザ等によって構成され、記録用レーザービームＬ１を光変調器２４に向けて出射する。
【００３４】
光変調器２４は、電気音響光学素子（Acoustic Optical Modulator）等によって構成され、記録用レーザービームＬ１を駆動信号ＳＤにより変調してレーザービームＬ２を出射する。この変調において、光変調器２４は、中央処理ユニット２２の制御により動作を切り換え、著作権保護情報ＳＡ及びＳＢ、リードインエリアの作成に必要な情報等を記録している期間の間は、駆動信号ＳＤに応じたオンオフ制御によりレーザービームＬ１を変調するのに対し、グルーブを記録する期間の間は、駆動信号ＳＤに応じて出射方向を変化させてレーザービームＬ１を変調する。
【００３５】
ミラー２５は、レーザービームＬ２の光路を折り曲げて、ディスク原盤８に向けて射出する。対物レンズ２６は、このミラー２５の反射光をディスク原盤８の記録面上に集光する。ミラー２５および対物レンズ２６は、図示しないスレッド機構により、ディスク原盤８の回転に同期して半径方向に順次移動するようになされている。これによりカッティングマシーン７では、レーザービームＬ２の集光位置をディスク原盤８の外周方向に順次変位させ、ディスク原盤８上に螺旋状にトラックを形成する。さらに著作権情報記録領域３においては、このトラック上に駆動信号ＳＤに応じたピット列を作成して著作権保護情報ＳＡ及びＳＢを記録し、また同様にして、リードインエリア等を記録する。またユーザーデータ記録領域４においては、駆動信号ＳＤに応じたグルーブの蛇行によりアドレス情報を記録する。
【００３６】
このため変調回路２７は、信号源６Ａ及び６Ｂから著作権保護情報ＳＡ及びＳＢを受け、この著作権保護情報ＳＡ及びＳＢを変調して変調信号ＳＸを出力する。
【００３７】
アドレスフォーマット信号発生回路２８は、リードインエリア、ユーザーデータ記録領域４に必要なアドレス情報、フォーマット情報等を発生し、これらよりグルーブの蛇行に応じて信号レベルが変化するウォウブル信号等を生成して出力する。
【００３８】
データセレクタ２９は、中央処理ユニット２２の制御により、変調回路２７より出力される変調信号ＳＸ、アドレスフォーマット信号発生回路２８の出力信号を選択して駆動信号ＳＤを出力する。中央処理ユニット２２は、このカッティングマシーン７の動作を制御する制御回路を構成し、ミラー２５、対物レンズ２６を駆動するスレッド機構のモニタによりレーザービームＬ２の照射位置を検出し、この検出結果によりデータセレクタ２９、光変調器２４等の動作を切り換え制御する。
【００３９】
図１は、変調回路２７を示すブロック図であり、図５は、この変調回路の動作の説明に供する信号波形図である。変調回路２７は、ＦＧ信号ＦＧを基準にして著作権保護情報ＳＡ、ＳＢを処理することにより変調信号ＳＸを生成する。ここでＰＬＬ回路４１は、ＦＧ信号ＦＧを基準にして動作することにより、ディスク原盤８の回転に同期したチャンネルクロックＣＫ（図５（Ａ））を生成して変調回路２７の各部に供給する。
【００４０】
タイミングジェネレータ（ＴＧ）４２は、チャンネルクロックＣＫをカウントすることにより、所定の時間間隔でＭ系列発生回路４５Ａ〜４５Ｄを初期化する初期化パルスＳＹを発生する。またタイミングジェネレータ４２は、この初期化パルスＳＹに同期した同期パターン選択信号ＳＴを生成して出力する。なおここでこの実施の形態において、初期化パルスＳＹは、チャンネルクロックＣＫに同期して、１クロック幅により立ち上がるように生成される（図５（Ｂ））。また同期パターン選択信号ＳＴは、初期化パルスＳＹの立ち上がりのタイミングより５クロック幅で立ち上がるように生成される（図５（Ｃ））。
【００４１】
ここで変調回路２７においては、このようにして生成されるチャンネルクロックＣＫに比して格段的に遅い初期化パルスＳＹの周期によるビットレートにより４ビットパラレルで著作権保護情報ＳＡ及びＳＢが入力されるようになされている。
【００４２】
同期パターン発生回路４３は、初期化パルスＳＹの立ち上がりを基準にして、所定の同期パターンＤＹを生成して出力する。なおこの実施の形態において、同期パターンＤＹは、図５（Ｄ）に示すように、初期化パルスＳＹの立ち上がりより５クロック周期の期間において、論理値が「１１０１１」となるように設定される。
【００４３】
Ｍ系列発生回路４５Ａ〜４５Ｄは、初期化パルスＳＹにより初期化され、チャンネルクロックＣＫ単位で変化するＭ系列Ｍ１〜Ｍ４を出力する（図５（Ｅ）〜（Ｈ））。ここでＭ系列Ｍ１〜Ｍ４は、ランダムに論理値が変化し、かつ論理１と論理０との発生確率が等確率であるデータ列であり、この実施の形態では、チャンネルクロックＣＫに同期して変化する点を除いて、互いに関連性の無い変化を呈する（いわゆる無相関である）Ｍ系列Ｍ１〜Ｍ４が適用される。
【００４４】
これによりＭ系列発生回路４５Ａ〜４５Ｄは、著作権に関する情報である著作権保護情報ＳＡのビット数に対応する系列により、著作権に関する情報の伝送速度に比して早い伝送速度により２進数系列を発生させる複数の２進数系列発生手段を構成し、同期パターンを基準にして、２進数系列を繰り返し出力する。
【００４５】
演算回路（Ｘ）４６Ａ〜４６Ｄは、イクスクルーシブオア回路により構成され、それぞれＭ系列信号Ｍ１〜Ｍ４と著作権保護情報ＳＡの各ビットｂ０〜ｂ３とをイクスクルーシブオア演算して演算結果を出力する。これにより変調回路２７は、著作権保護情報ＳＡの１ビットをＭ系列信号Ｍ１〜Ｍ４により擾乱させる。またこのときいわゆる無相関のＭ系列信号Ｍ１〜Ｍ４を適用することにより、各ビットｂ０〜ｂ３の論理値が同一の場合でも、演算結果においては異なるようにし、各ビットｂ０〜ｂ３を復号する際に、それぞれＭ系列信号Ｍ１〜Ｍ４により処理して、他のビットｂ０〜ｂ３の演算結果によっては影響を受けないようになされている。これにより演算回路４６Ａ〜４６Ｄは、Ｍ系列発生回路４５Ａ〜４５Ｄによる２進数系列を対応する著作権保護情報ＳＡのビットと演算して複数の演算結果を出力する複数の演算手段を構成する。
【００４６】
乱数発生回路４７は、著作権保護情報ＳＢ（ｂ４〜ｂ７）に応じて、２ビットの乱数（値０、１、２、３の何れかの値を取る乱数）ＲをチャンネルクロックＣＫ単位で発生し、データセレクタ４８に出力する（図５（Ｉ））。またＭ系列発生回路４５Ａ〜４５Ｄと同様に、初期化パルスＳＹにより疑似乱数Ｒをリセットして生成する。
【００４７】
データセレクタ４８は、この２ビットの乱数Ｒの値に応じて、演算回路４６Ａ〜４６Ｄの演算結果を選択出力する。すなわち乱数発生回路４７の出力が値０の場合、第１の演算回路４６Ａの出力を選択するのに対し、乱数発生回路４７の出力が値１、２又は３の場合、それぞれ演算回路４６Ｂ、４６Ｃ、４６Ｄの出力を選択する。
【００４８】
これにより変調回路２７は、対応するＭ系列Ｍ１〜Ｍ４を基準にした復号により他の演算結果によっては影響を受けないようにした状態で、演算回路４６Ａ〜４６Ｄによる演算結果を著作権保護情報ＳＢに応じた乱数により１系統に纏めてさらに擾乱するようになされている。
【００４９】
データセレクタ４９は、同期パターン選択信号ＳＴを基準にして、同期パターン発生回路４３から出力される同期パターンＤＹ、データセレクタ４８の出力を選択出力する。これにより変調回路２７は、初期化パルスＳＹが立ち上がった後の５クロック周期の期間の間、論理「１１０１１」の同期パターンが現れた後、データセレクタ４８の出力が選択されて出力されるようになされている（図５（Ｊ））。
【００５０】
これによりディスク原盤８においては、著作権情報記録領域３にこの変調回路２７の出力信号ＳＸに応じたピットＰが作成されるようになされている（図５（Ｋ））。なおこの図５において、図５（Ｌ）〜（Ｎ）は、初期化パルスＳＹを基準にして異なる周期における変調信号ＳＸ、ピットＰの生成を示す図である。この実施の形態では、著作権保護情報ＳＢに応じた乱数Ｒにより４系統の演算結果を１系統に纏めて擾乱することにより、この図５（Ｌ）〜（Ｎ）により示すように、ディスク原盤８に記録されるピット列においては、第１の著作権保護情報ＳＡの論理値が同一の場合でも、第２の著作権保護情報ＳＢが異なる場合には、異なる変化を呈するようになる。これによりこの実施の形態では、著作権保護情報ＳＡを発見、解析困難とするようになされている。
【００５１】
変調回路２７は、同期パターン選択信号ＳＴの発生周期、著作権保護情報ＳＡのバイト数の選定により、ミニディスク２の内外周で、精度良く同期パターンによるピットが重なり合うように設定される（図３（Ｂ））。すなわちミニディスク２の回転中心より見て、ミニディスク２の情報記録面を所定の角間隔により分割し、この分割した領域の先頭側より所定の範囲に同期パターンが記録される。これらによりミニディスク２は、著作権に関する情報の１ビットが、情報記録面の周方向に分散されて記録されるようになされている。
【００５２】
図６は、このようにして作成されたミニディスク２を記録再生する光ディスク装置を示すブロック図である。この光ディスク装置６１において、スピンドルモータ６２は、サーボ回路６５の制御によりこのミニディスク２を所定の回転速度で回転駆動する。
【００５３】
光ピックアップ６３は、ミニディスク２の半径方向に可動できるように所定のスレッド機構により保持される。光ピックアップ６３は、ミニディスク２にレーザービームを照射し、その戻り光を受光して受光結果を出力する。また記録時、光ピックアップ６３は、再生時の光量より記録時の光量にレーザービームの光量を間欠的に立ち上げて変調磁界を印加し、これによりいわゆるパルストレイン方により種々の情報を熱磁気記録する。
【００５４】
マトリクスアンプ（ＭＡ）６４は、光ピックアップ６３の出力信号を信号処理することにより、グルーブの蛇行に応じて信号レベルが変化するウォウブル信号、トラッキングエラー量に応じて信号レベルが変化するトラッキングエラー信号ＴＫ、フォーカスエラー量に応じて信号レベルが変化するフォーカスエラー信号ＦＳ、磁気カー効果の利用によりミニディスク２からの戻り光の偏光面に応じて信号レベルが変化する再生信号ＭＯ、ミニディスク２における記録膜の変化、ピット列に応じて信号レベルが変化する再生信号ＨＦを生成して出力する。
【００５５】
サーボ回路６５は、これらトラッキングエラー信号ＴＫ、フォーカスエラー信号ＦＳにより光ピックアップ６３をトラッキング制御、フォーカス制御する。またサーボ回路６５は、ウォウブル信号より生成されるクロックが所定周波数になるようにスピンドルモータ６２の回転速度を制御する。さらにウォウブル信号よりアドレス情報を取得し、中央処理ユニット（ＣＰＵ）６６の制御により、光ピックアップ６３を所定位置にシークさせる。
【００５６】
アナログディジタル変換回路（ＡＤ）６７は、上述したチャンネルクロックＣＫに比して充分に短い周期により再生信号ＨＦを順次アナログディジタル変換処理し、８ビットのディジタル再生信号ＤＸを出力する。第２復号回路６８は、著作権情報記録領域３より得られるこのディジタル再生信号ＤＸを処理することにより著作権保護情報ＳＡを復号して出力する。
【００５７】
中央処理ユニット６６は、この光ディスク装置６１の動作を制御する制御回路を構成し、図示しないミニディスク検出機構を介してミニディスク２の装填が検出されると、通常のミニディスク装置と同様に、サーボ回路６５の制御により光ピックアップ６３をリードインエリアにシークさせ、ミニディスク２のアクセスに必要なＴＯＣデータ等を取得する。さらに続いて著作権情報記録領域３に光ピックアップ６３をシークさせ、第２復号回路６８より著作権保護情報ＳＡを取得する。なおこのときミニディスク２においては、バーコードにより著作権保護情報ＳＣが記録されて著作権情報記録領域３ではトラッキング制御困難なことにより、中央処理ユニット６６は、トラッキング制御の動作を中止してフォーカス制御だけの状態によるアクセスをサーボ回路６５に指示する。
【００５８】
このようにして第２復号回路６８より著作権保護情報ＳＡを取得する際に、中央処理ユニット６６は、併せてディジタル再生信号ＤＸを処理することにより、著作権保護情報ＳＢを再生する。すなわち中央処理ユニット６６は、ディジタル再生信号ＤＸを所定のしきい値により判定して２値化し、この２値化結果より著作権保護情報ＳＢの記録に供したクロックを再生する。さらに中央処理ユニット６６は、このクロックを基準にして２値化結果を順次ラッチして再生データを生成する。中央処理ユニット６６は、この再生データを記録時の処理に対応して必要に応じて誤り訂正処理等することにより、バーコードにより記録した著作権保護情報ＳＢを再生する。
【００５９】
これにより中央処理ユニット６６は、ユーザーによりミニディスク２の再生が指示された場合には、これら２つの著作権保護情報ＳＡ、ＳＢにより暗号化の解除に必要な情報を生成して再生系を駆動するのに対し、ミニディスク２への記録が指示された場合、同様にして暗号化の処理に必要な情報を生成して記録系を駆動する。
【００６０】
このようにして中央処理ユニット６６の制御により動作する再生系において、復号回路６９は、通常のミニディスク装置における復号回路と同様に、再生信号ＭＯを処理してクロックを再生し、さらにこのクロックを基準にして再生信号ＭＯをＥＦＭ（Eight to Fourteen Modulation）復調して再生データを出力する。
【００６１】
暗号化解除回路７９は、著作権保護情報ＳＡ、ＳＣを基準にしてこの再生データの暗号化を解除して出力する。誤り訂正回路（ＥＣＣ：Error Correcting Code)７１は、この暗号化解除回路７９の出力データを誤り訂正処理して出力する。なおこのような誤りは、例えばミニディスク２上のディフェクト等に起因して生じるものである。これにより光ディスク装置６１では、著作権保護情報ＳＡ、ＳＣを基準にしたミニディスク２に固有の暗号化の処理よりオーディオデータ等を再生して出力するようになされている。
【００６２】
これに対して記録系において、誤り訂正回路（ＥＣＣ：Error Correcting Code)７２は、順次入力される入力データに誤り訂正符号を付加して出力し、続く暗号化回路７３は、著作権保護情報ＳＡ、ＳＣを基準にしてこの誤り訂正回路７２の出力データを暗号化して出力する。変調回路７４は、この暗号化回路７３の出力データをＥＦＭ（Eight to Fourteen Modulation）変調して変調信号を生成し、この変調信号により光ピックアップ６３の変調コイルを駆動する。これにより光ディスク装置６１は、著作権保護情報ＳＡ、ＳＣを基準にしたミニディスク２に固有の暗号化の処理よりオーディオデータ等を暗号化して記録するようになされている。
【００６３】
図７は、ディジタル再生信号ＤＸから著作権保護情報ＳＡを復号する第２復号回路を示すブロック図である。この第２復号回路６８において、ＰＬＬ回路８１は、ディジタル再生信号ＤＸを基準にして記録時に生成したチャンネルクロックＣＫを再生して各部に出力する。
【００６４】
同期検出回路８２は、このチャンネルクロックＣＫを基準にしたディジタル再生信号ＤＸの識別により同期パターンを検出し、この検出結果より記録時の初期化パルスＳＹを再生する。
【００６５】
Ｍ系列発生回路８３Ａ〜８３Ｄは、この初期化パルスＳＹ、チャンネルクロックＣＫを基準にして、それぞれ記録時に生成したＭ系列Ｍ１〜Ｍ４を出力する。
【００６６】
イクスクルーシブオア回路（Ｘ）８４Ａ〜８４Ｄは、それぞれＭ系列信号Ｍ１〜Ｍ４とディジタル再生信号ＤＸをイクスクルーシブオア演算処理して演算結果を出力する。
【００６７】
ここで著作権情報記録領域３のアクセスにおいては、トラッキング制御困難なことにより、ディジタル再生信号ＤＸにおいては、複数トラックを蛇行するように走査して得られると考えられる。これによりディジタル再生信号ＤＸにおいては、複数トラックに記録された変調回路２７の出力信号ＳＸがさらに擾乱された形式により再生されることになる。これに対して著作権保護情報ＳＡにおいては、変調回路２７の出力信号ＳＸにおいて、対応するＭ系列Ｍ１〜Ｍ４を基準にした復号により他の演算結果によっては影響を受けないようにした状態で、４系統の演算結果を乱数Ｒにより擾乱して１系統に纏められて生成されている。これによりディジタル再生信号ＤＸにおいては、各トラックの割り当てられた変調回路２７の出力信号ＳＸがさらにミニディスク２の走査、バーコードによる擾乱を受けて再生されていることになり、結局、対応するＭ系列Ｍ１〜Ｍ４を基準にした復号によってのみ正しく再生することができる。
【００６８】
これにより積分回路８５Ａ〜８５Ｄは、イクスクルーシブオア回路８４Ａ〜８４Ｄより出力される演算結果をそれぞれ初期化パルスＳＹを基準にして積分することにより、著作権保護情報ＳＡの対応するビットｂ０〜ｂ３の論理値に応じた値の積分結果を出力する。判定回路８６Ａ〜８６Ｄは、それぞれ積分回路８５Ａ〜８５Ｄより出力される積分結果を初期化パルスＳＹを基準にして２値識別することにより、著作権保護情報ＳＡの各ビットｂ０〜ｂ３を復号して出力する。
【００６９】
これらにより光ディスク装置６１では、光ピックアップ６３、マトリクスアンプ６４が、再生信号を生成する再生信号生成手段を構成するのに対し、ＰＬＬ回路８１、同期検出回路８２、Ｍ系列発生回路８３Ａ〜８３Ｂが、再生信号の同期パターンを基準にして複数の２進数系列を発生する２進数系列発生手段を構成するようになされている。またイクスクルーシブオア回路８４Ａ〜８４Ｄが、それぞれ２進数系列により再生信号をイクスクルーシブオア演算処理し、積分回路８５Ａ〜８５Ｄが、この演算結果を積分して複数の積分結果を出力する複数の積分手段を構成し、判定回路８６Ａ〜８６Ｄが、それぞれ積分結果を判定して著作権保護情報の対応するビット列を復号する判定手段を構成するようになされている。
【００７０】
図８は、第２の著作権保護情報ＳＢを再生する光ディスク検査装置を示すブロック図である。この光ディスク検査装置９０は、不正使用されたカッティングマシーン７の特定等に利用される。なおこの図８に示す構成において、図６について上述した光ディスク装置６１と同一の構成は、対応する符号を付して示し、重複した説明は省略する。この光ディスク装置６１と共通する構成により、光ディスク検査装置９０は、第２復号回路６８で第１の著作権保護情報ＳＡを再生する。
【００７１】
変調回路９３は、カッティングマシーン７の変調回路２７と同一に構成され、第２復号回路６８で再生された第１の著作権保護情報ＳＡと、中央処理ユニット９４から出力される著作権保護情報ＳＢの予測値ＳＢＸとから変調信号ＳＸＸを生成する。
【００７２】
２値化回路９５は、再生信号ＨＦを所定のしきい値により２値化することにより、ミニディスク２に作成されたピット列に対応してなる２値化信号を生成する。これにより２値化回路９２は、カッティングマシーン７で生成した変調信号ＳＸを再生する。
【００７３】
イクスクルーシブオア回路９６は、これら２つの変調信号ＳＸ及びＳＸＸの排他的論理和による演算信号を生成することにより、これら２つの変調信号ＳＸ及びＳＸＸの比較結果を出力する。
【００７４】
中央処理ユニット９４は、著作権保護情報ＳＢの再生が指示されると、サーボ回路６５の制御により光ピックアップ６３をミニディスク２の著作権情報記録領域３にシークさせ、第２復号回路６８で著作権保護情報ＳＡを取得する。このとき中央処理ユニット９４は、この著作権情報記録領域３における著作権保護情報ＳＣのバーコード状の記録によってトラッキングサーボが乱れた場合でも、同一のトラックを走査するように、サーボ回路６５の動作を制御する。
【００７５】
さらに中央処理ユニット９４は、このようにして同一箇所の走査を繰り返した状態で、著作権保護情報ＳＢの予測値ＳＢＸを順次切り換えて出力し、またこの切り換えに連動してイクスクルーシブオア回路９６より得られる比較結果の集計をリセットする。
【００７６】
すなわちこのようにして変調回路９３により変調信号ＳＸＸを生成する場合にあっては、著作権保護情報ＳＢの予測値ＳＢＸがミニディスク２に記録された著作権保護情報ＳＢと一致している場合、変調回路９３より得られる変調信号ＳＸＸにおいては、ミニディスク２より得られる変調信号ＳＸと一致することになる。ミニディスク２においては、バーコード状に著作権保護情報ＳＣが記録されていることにより、ミニディスク２より得られる変調信号ＳＸにおいては、このバーコード状による著作権保護情報ＳＣの記録に影響を受けるものの、著作権保護情報ＳＢにおいては、ミニディスク２の円周方向に比較的長い距離に１ビットが分散されて記録されている。従って最も一致確率の高い集計結果が得られてなる著作権保護情報ＳＢの予測値ＳＢＸが著作権保護情報ＳＢと判定することができる。
【００７７】
これにより中央処理ユニット９４は、このようにして得られる集計結果より最も一致確率の高い予測値ＳＢＸを著作権保護情報ＳＢと判定する。かくするにつき中央処理ユニット９４は、著作権情報記録領域３において、レーザービーム照射位置を順次変位させてこの処理を繰り返すことにより、４ビットパラレルによる著作権保護情報ＳＢの各論理値を順次判定して著作権保護情報ＳＢを復号するようになされている。
【００７８】
（２）実施の形態の動作
以上の構成において、ミニディスク２の製造工程では（図２）、カッティングマシーン７によりディスク原盤８を露光して現像することにより、ディスク原盤８にミニディスク２に作成する微細な凹凸が作成され、メッキ工程１０等を経てこの微細な凹凸を転写してなるミニディスク２のディスク基板１４が作成され、このディスク基板１４に記録膜、保護膜を作成してミニディスク２が作成される。
【００７９】
このようにして作成されるミニディスク２は（図３及び図４）、リードインエリア、ユーザーデータ記録領域４等においては、アドレスフォーマット信号発生回路２８の出力信号により駆動信号ＳＤが作成され、この駆動信号ＳＤにより光変調器２４で記録用レーザービームＬ１が変調されてディスク原盤８が露光されることにより、従来のミニディスク２と同様に作成される。これに対してミニディスク２の内周側の著作権情報記録領域３においては、著作権に関する情報である著作権保護情報ＳＡが変調回路２７で変調されて生成された駆動信号ＳＤにより記録用レーザービームＬ１がオンオフ変調され、これによりこの著作権情報記録領域３にピット列により著作権保護情報ＳＡが記録される。
【００８０】
この著作権保護情報ＳＡは（図１及び図５）、４ビットパラレルにより変調回路２７に入力され、ここで第１の著作権保護情報ＳＡに比して伝送速度が早く、かつ互いに異なる各ビットに対応する４系統のＭ系列Ｍ１〜Ｍ４がＭ系列発生回路４５Ａ〜４５Ｄで生成され、各Ｍ系列Ｍ１〜Ｍ４と対応する各ビットｂ０〜ｂ３とが演算回路４６Ａ〜４６Ｄにより演算処理される。これにより第１の著作権保護情報ＳＡは、それぞれ２進数系列であるＭ系列Ｍ１〜Ｍ４により擾乱されて、発見困難とされる。
【００８１】
さらに第１の著作権保護情報ＳＡは、これら演算回路４６Ａ〜４６Ｄの演算結果がデータセレクタ４８により乱数Ｒを基準にして選択出力され、これによりさらに擾乱されて１系統による駆動信号に変換され、さらに一段と発見困難とされる。
【００８２】
第１の著作権保護情報ＳＡは、このデータセレクタ４８の出力信号にデータセレクタ４９により同期パターンＤＹが介挿され、これにより再生時、この同期パターンＤＹを基準にしてＭ系列Ｍ１〜Ｍ４を生成できるようになされ、さらに生成したＭ系列Ｍ１〜Ｍ４を基準にした復号により各ビットｂ０〜ｂ３を再生することができるようになされる。
【００８３】
すなわちＭ系列Ｍ１〜Ｍ４においては、互いに無関係で、かつ論理１と論理０とが等確率により発生することにより、他のＭ系列Ｍ１〜Ｍ４により擾乱した信号を所望のＭ系列により復号し、この復号結果を長期間により見た場合、論理１及び論理０に対応する信号レベルの平均値に収束する。これに対して対応するＭ系列Ｍ１により復号して同様に判定した場合、正しい論理レベルを判定することができる。
【００８４】
これによりこの実施の形態では、著作権に関する情報の各ビット列を異なる２進数系列によりそれぞれ擾乱して複数系統の信号を生成すると共に、この複数系統の信号をさらに擾乱して１系統の駆動信号を生成してレーザービームを変調することにより、不規則なピット列の配置により著作権保護情報ＳＡを記録し、これにより著作権の保護情報を発見困難とするようになされている。
【００８５】
さらにこのようにして４系統を擾乱して１系統に纏めて記録することにより、第１の著作権保護情報ＳＡの１ビットを１つのトラックの比較的長い距離に分散して記録するようになされている。
【００８６】
このようにして第１の著作権保護情報ＳＡを記録するにつき、変調回路２７では、第２の著作権保護情報ＳＢに応じて、この４系統の信号を１系統に纏める際の疑似乱数Ｒが生成される。これによりこの実施の形態では、第１の著作権保護情報ＳＡに加えて、第２の著作権保護情報ＳＢについても、発見、解析困難に、１つのトラックの比較的長い距離に分散して記録することができる。
【００８７】
ここで疑似乱数Ｒにおいても、論理１と論理０に発生確率が等しいことにより、このようにして記録される第１の著作権保護情報ＳＡの各ビットの論理値においては、このように第２の著作権保護情報ＳＢにより乱数Ｒを切り換えた場合でも、異なるＭ系列による復号には影響を与えないようにして対応するＭ系列Ｍ１により復号して判定した場合にだけ正しい論理レベルを判定することができるように記録される。
【００８８】
これによりミニディスク２では、このように著作権保護情報ＳＡ及びＳＢを記録した上に、さらにバーコードにより第３の著作権保護情報ＳＣを記録して、著作権保護情報ＳＡ及びＳＢについて再生信号が一時途絶える場合でも、確実に著作権保護情報ＳＡ及びＳＢを再生することが可能となる。
【００８９】
かくするにつき光ディスク製造工程１では（図２）、このような著作権保護情報ＳＡ及びＳＢによる微細な凹凸が作成されてなるディスク基板１４に記録膜が作成された後、第３の著作権保護情報ＳＣにより変調された記録用レーザービームが著作権保護情報ＳＡ及びＳＢを記録した領域に照射され、これにより著作権保護情報ＳＡ及びＳＢに重ねてバーコードによる著作権保護情報ＳＣが記録される。
【００９０】
これによりミニディスク２は、この著作権保護情報ＳＣの記録によっても、著作権保護情報ＳＡ及びＳＢを発見困難とすることができる。またこの著作権保護情報ＳＣがバーコード状に記録されることにより、トラッキング制御困難とすることができる。これにより著作権保護情報ＳＡ及びＳＢの解析を目的として著作権情報記録領域３をアクセスする場合に、ピット列に対応する再生信号を取得困難とすることができ、これによってもさらに一段と著作権保護情報ＳＡ及びＳＢを発見、解析困難とすることができる。
【００９１】
ミニディスク２においては、これによりこのようにして記録された第１及び第３の著作権保護情報ＳＡ、ＳＣによる暗号化の処理により、違法コピーを排除することが可能となる。
【００９２】
すなわちミニディスク２においては（図６）、光ディスク装置６１において、トラッキング制御しない状態で、光ピックアップ６３より得られる戻り光の受光結果をマトリクスアンプ６４により処理してピット列、バーコードに応じて信号レベルが変化する再生信号ＨＦが検出され、この再生信号ＨＦが高いサンプリングレートによるディジタル再生信号ＤＸに変換されて第２復号回路６８で処理されることにより、ピット列により記録された著作権保護情報ＳＡが再生される。また中央処理ユニット６６におけるディジタル再生信号ＤＸの処理によりバーコードによる著作権保護情報ＳＣが再生される。
【００９３】
これによりミニディスク２では、これら著作権保護情報ＳＡ、ＳＣに基づいて入力データが暗号化されて記録され、またこれら著作権保護情報ＳＡ、ＳＣに基づいて再生データの暗号化が解除される。ここで例えばこれら著作権保護情報ＳＡ、ＳＣを正しく再生困難な場合、このような暗号化によるデータの正しい記録再生が困難なことにより、光ディスク装置６１においては、正しく著作権保護情報ＳＡ、ＳＣが記録されたミニディスクについてだけ、所望のデータを正しく記録再生することが可能となる。これによりこの実施の形態では、いわゆる海賊版によるミニディスクの市場価値を著しく低下させて、海賊版によるミニディスクを市場より排除することができる。
【００９４】
このような前提である著作権保護情報ＳＡ、ＳＣについては、上述したように発見困難であることにより、特に著作権保護情報ＳＡについてはトラッキング制御困難であることにより、このような著作権保護情報ＳＡ、ＳＣ自体についてもコピー困難、解析困難とすることができ、これにより著作権保護情報ＳＡ、ＳＣをもコピーしてなる海賊版についても有効に排除することができる。
【００９５】
かくするにつき第２復号回路６８において、ディジタル再生信号ＤＸは、同期パターンを基準にしてＭ系列発生回路８３Ａ〜８３Ｄにより記録時と同一のＭ系列Ｍ１〜Ｍ４が作成され、これらとディジタル再生信号ＤＸがそれぞれ乗算されることにより、記録時と同一の２進数系列によりサンプリングされ、このサンプリング結果がそれぞれ積分回路８５Ａ〜８５Ｂにより積分される。これによりディジタル再生信号ＤＸは、それぞれ著作権保護情報ＳＡの各ビットｂ０〜ｂ３の論理値に対応し、他のビットｂ０〜ｂ３の論理値に無関係の積分結果が得られ、この積分結果の判定により各ビットｂ０〜ｂ３の論理値が復号される。
【００９６】
これにより光ディスク装置６１では、バーコードを重ねて記録している場合でも、さらには隣接するトラックで異なるパターンとなるように、さらには複数系列を擾乱して１系統の駆動信号を生成する等により極めて発見困難、複製困難に著作権保護情報ＳＡを記録した場合でも、確実に著作権保護情報ＳＡを再生することができる。
【００９７】
ところでこのようにして著作権保護情報ＳＡ〜ＳＣを記録してミニディスク２のアクセスを制御すれば、違法なコピーを防止して確実に著作権者の利益の保護を図ることができると考えられる。
【００９８】
しかしながらカッティングマシーン７自体の不正使用により作成されたミニディスク２については、正しく著作権保護情報ＳＡ〜ＳＣが記録されていることにより、市場において流通を阻害することが困難になる。
【００９９】
この場合、この実施の形態では、著作権保護情報ＳＡの擾乱に使用した疑似乱数Ｒによる著作権保護情報ＳＢにより不正行為に係る製造工程を特定することが可能となる。
【０１００】
すなわち光ディスク検査装置９０において（図８）、ミニディスク２より著作権保護情報ＳＡを再生し、この著作権保護情報ＳＡと著作権保護情報ＳＢの予測値ＳＢＸより変調信号ＳＸＸを作成し、この変調信号ＳＸＸとミニディスク２より検出される変調信号ＳＸとが比較される。ここでバーコード状に記録された著作権保護情報ＳＣによりミニディスク２より得られる変調信号ＳＸにおいては、間欠的に途切れるように検出されるものの、著作権保護情報ＳＢの１ビットにおいては、トラック方向の比較的長い距離に分散されて、著作権保護情報ＳＡと共に記録されており、さらにこの著作権保護情報ＳＡがＭ系列Ｍ１〜Ｍ４により擾乱されていることにより、ミニディスク２に記録された著作権保護情報ＳＢとこのようにして設定される予測値ＳＢＸとが一致している場合には、このトラック方向の長い距離における集計結果においては、多くの一致結果が得られることになる。
【０１０１】
これにより光ディスク検査装置９０においては、著作権保護情報ＳＢを順次切り換えてこの一致結果が集計され、集計結果より最も一致の割合が大きな予測値ＳＢＸが著作権保護情報ＳＢとして出力される。
【０１０２】
これによりこの実施の形態では、この著作権保護情報ＳＢにより不正に係る製造を特定して、必要な対向手段を実施することができ、これによってもさらに一段と著作権者の利益を保護することができる。
【０１０３】
（３）実施の形態の効果
以上の構成によれば、著作権に関する第１の情報の各ビット列をそれぞれ擾乱して生成した複数系統の信号を、著作権に関する第２の情報に応じた疑似乱数を基準にして１系統に纏めて駆動信号を生成することにより、従来に比して一段と有効に著作権者の利益を保護することができる。
【０１０４】
このとき駆動信号に所定周期で同期パターンを介挿することにより、再生時、この同期パターンを基準にして２進数系列を生成して、このようにして記録された著作権に関する情報を確実に再生することができる。
【０１０５】
またこの同期パターンを基準にして、２進数系列を繰り返し出力することによっても、例えばバーコード等を重ねて記録してトラッキング制御困難とした場合でも、著作権に関する情報を確実に再生することができる。
【０１０６】
また再生時、著作権に関する第１の情報の復号結果と著作権に関する第２の情報の予測とよる受光結果と、実際の受光結果との比較により、著作権に関する第２の情報を復号することにより、このような複数系統の擾乱に使用した疑似乱数による著作権に関する第２の情報を確実に再生することができる。
【０１０７】
（４）他の実施の形態
なお上述の実施の形態においては、４ビットパラレルによる著作権保護情報を記録する場合について述べたが、本発明はこれに限らず、種々のビット数による場合に広く適用することができる。
【０１０８】
また上述の実施の形態においては、第２の著作権情報ＳＢの予測値ＳＢＸを順次切り換えて第２の著作権の情報を復号する場合について述べたが、本発明はこれに限らず、著作権情報ＳＢの予測値ＳＢＸの切り換えに代えて、著作権保護情報ＳＢが取り得る値の数に対応する複数系統の乱数Ｒによる同時並列的な集計処理により、または複数系統による集計と切り換えとの組み合わせにより、第２の著作権保護情報ＳＢを復号してもよい。
【０１０９】
また上述の実施の形態においては、バーコードを重ねて記録する場合について述べたが、本発明はこれに限らず、バーコードによる著作権保護情報の記録を省略する場合にも広く適用することができる。また誤り訂正符号等の採用により、著作権保護情報ＳＡの繰り返しの記録も省略して、著作権情報記録領域の面積を少なくするようにしてもよい。またこれに反して、バーコードによる著作権保護情報ＳＢの記録を省略しても、ディフェクトを故意に作成する等によりトラッキング制御困難とすることも考えられる。
【０１１０】
また上述の実施の形態においては、ピット列により著作権保護情報ＳＡ、ＳＢを記録する場合について述べたが、本発明はこれに限らず、マーク列により記録する場合等にも広く適用することができる。
【０１１１】
また上述の実施の形態においては、変調回路２７で生成した駆動信号により直接レーザービームを変調する場合について述べたが、本発明はこれに限らず、変調回路２７の出力信号をさらに位相変調（位相変調としては、例えばＰＥ（Phase Encode）等してレーザービームを変調するようにしてもよい。このようにすれば再生側のＰＬＬ回路の設計を容易とすることができる。
【０１１２】
また上述の実施の形態においては、同期パターンを放射状に配置する場合について述べたが、本発明はこれに限らず、同期パターンを半径方向にランダムな位置に配置するようにしてもよい。
【０１１３】
また上述の実施の形態においては、著作権に関する第１及び第３の情報として、ミニディスク２に固有な情報であり、かつ暗号化処理に必要な鍵情報を記録する場合について述べたが、本発明はこれに限らず、ミニディスクに固有のＩＤ情報、製造工場に係る情報、製造年月日またはコピー可／不可を制御する情報等を振り分けて構成する場合等、著作権に関する種々の情報を記録する場合に広く適用することができる。
【０１１４】
また上述の実施の形態においては、著作権に関する情報により入力データを暗号化して記録し、また暗号化を解除して再生する場合について述べたが、本発明はこれに限らず、再生専用の光ディスクについても適用することができる。
【０１１５】
また上述の実施の形態においては、著作権に関する情報により暗号化処理する場合について述べたが、本発明はこれに限らず、著作権に関する情報によりアクセスを停止する場合等にも広く適用することができる。
【０１１６】
また上述の実施の形態においては、本発明をミニディスクと、関連する装置に適用する場合について述べたが、本発明はこれに限らず、同様の光磁気ディスクであるＭＯに適用する場合、さらにはピット列によりデータを記録するコンパクトディスク、ディジタルビデオディスク等の種々の光ディスク、相変化型の光ディスク、光ディスク装置に広く適用することができる。
【０１１７】
また上述の実施の形態においては、初期化パルスＳＹによりＭ系列に同期して疑似乱数Ｒを初期化する場合について述べたが、本発明はこれに限らず、初期化パルスとは異なる基準により初期化するようにしてもよい。
【０１１８】
【発明の効果】
上述のように本発明によれば、著作権に関する第１の情報の各ビット列をそれぞれ擾乱して生成した複数系統の信号を、著作権に関する第２の情報に応じた疑似乱数を基準にして１系統に纏めて駆動信号を生成することにより、従来に比して一段と有効に著作権者の利益を保護することができる。
【図面の簡単な説明】
【図１】本発明の実施の形態に係るカッティングマシーンに適用される変調回路を示すブロック図である。
【図２】本発明の実施の形態に係るミニディスクの製造工程を示す工程図である。
【図３】図２のミニディスクの製造工程により製造されるミニディスクを示す略線図である。
【図４】図２の製造工程に適用されるカッティングマシーンを示すブロック図である。
【図５】図１の変調回路の動作の説明に供する信号波形図である。
【図６】図３のミニディスクを記録再生する光ディスク装置を示すブロック図である。
【図７】図６の光ディスク装置の第２復号回路を示すブロック図である。
【図８】図３のミニディスクを検査する光ディスク検査装置を示すブロック図である。
【符号の説明】
１……光ディスク製造工程、２……ミニディスク、３……著作権情報記録領域、７……カッティングマシーン、８……ディスク原盤、２７、９３……変調回路、４１、８１……ＰＬＬ回路、４３……同期パターン発生回路、４５Ａ〜４５Ｄ、８３Ａ〜８３Ｄ……Ｍ系列発生回路、４６Ａ〜４６Ｄ……演算回路、４７……乱数発生回路、２９、４８、４９……データセレクタ、６１……光ディスク装置、６６、９４……中央処理ユニット、６８……第２復号回路、８２……同期検出回路、８４Ａ〜８４Ｄ……乗算回路、８５Ａ〜８５Ｄ……積分回路、８６Ａ〜８６Ｄ……判定回路
【図１】
0004449175.tif 000002
【図２】
0004449175.tif 000003
【図３】
0004449175.tif 000004
【図４】
0004449175.tif 000005
【図５】
0004449175.tif 000006
【図６】
0004449175.tif 000007
【図７】
0004449175.tif 000008
【図８】
0004449175.tif 000009